(57)【要約】  線形逆コーディングによって、一つの入力信号から第一のチャンネルと第二のチャンネルを決定する逆コーディング機器を備えた、オーディオ信号のアップミックス又はコーディング装置は、第一のチャンネル内で逆コーディング機器の後に接続された第一の利得（５０００１）を備えているか、或いは第一のチャンネル内で逆コーディング機器の後に接続された第一の利得（６０００１）と、第二のチャンネル内で逆コーディング機器の後に接続された、第一の利得（６０００１）と異なる第二の利得（６０００２）とを備えていることを特徴とする。
2016501456.tif 000002
【特許請求の範囲】
【請求項１】
線形逆コーディングによって、一つの入力信号から第一のチャンネルと第二のチャンネルを決定する逆コーディング機器を備えた、オーディオ信号のアップミックス又はコーディング装置において、
第一のチャンネル内で逆コーディング機器の後に接続された第一の利得（５０００１）が配備されているか、或いは
第一のチャンネル内で逆コーディング機器の後に接続された第一の利得（６０００１）と、第二のチャンネル内で逆コーディング機器の後に接続された、第一の利得（６０００１）と異なる第二の利得（６０００２）とが配備されている、
ことを特徴とするアップミックス又はコーディング装置。
【請求項２】
第一の利得（５０００１，６０００１）により増幅された第一のチャンネルが、第二のチャンネルと組み合わされること無く出力されるか、或いは更に処理される構成と、第二の利得（６０００２）により増幅された第二のチャンネルが、第一のチャンネルと組み合わされること無く出力されるか、或いは更に処理される構成の中の一つ以上を有する請求項１に記載のアップミックス又はコーディング装置。
【請求項３】
第一の利得（５０００１，６０００１）及び／又は第二の利得（６０００２）が、入力チャンネルを生成するために使用されたダウンミックスの少なくとも一つのパラメータに応じて選定される請求項１又は２に記載のアップミックス又はコーディング装置。
【請求項４】
第一の利得（５０００１，６０００１）及び／又は第二の利得（６０００２）の値を第一のチャンネル及び／又は第二のチャンネルに応じて設定するように構成された最適化機器を備えている請求項１又は２に記載のアップミックス又はコーディング装置。
【請求項５】
第一の利得（５０００１，６０００１）及び／又は第二の利得（６０００２）が固定して設定されている請求項１から３までのいずれか一つに記載のアップミックス又はコーディング装置。
【請求項６】
第一の利得（５０００１，６０００１）の値が０．５又は１／√２に等しい請求項５に記載のアップミックス又はコーディング装置。
【請求項７】
逆コーディング機器と、第一のチャンネル及び第二のチャンネル内で第一の利得の後に接続された、入力チャンネルを生成するために使用されたダウンミックスの少なくとも一つのパラメータに応じて、或いは受信したレベルに応じて第一のチャンネルと第二のチャンネルのレベルを適合するように構成されたレベル補正機器との中の一つを備えている請求項１から６までのいずれか一つに記載のアップミックス又はコーディング装置。
【請求項８】
当該の入力信号が、一つの多チャンネル信号をベースとする二つの信号から、重みを付けた加算によって生成され、当該のダウンミックスの少なくとも一つのパラメータが、これら二つの信号又は出力信号の重みに相当する請求項３、５、６又は７に記載のアップミックス又はコーディング装置。
【請求項９】
当該の入力信号と、第一の値及び／又は第二の値とを受信する受信機器を備え、第一の利得が、受信した第一の値に基づき設定されるか、第二の利得が、受信した第二の値に基づき設定されるか、或いはその両方である請求項１、２、３又は７に記載のアップミックス又はコーディング装置。
【請求項１０】
当該の逆コーディング機器が、受信信号と共に受信されたパラメータに基づき第一のチャンネルと第二のチャンネルを決定するように構成されている請求項１から９までのいずれか一つに記載のアップミックス又はコーディング装置。
【請求項１１】
当該の逆コーディング機器が、音源とマイクロフォンの主軸の間の角度、仮想的な左の開口角、仮想的な右の開口角及び入力信号に関する指向性に基づき、この逆コーディング機器の少なくとも一つの第一の利得とこの逆コーディング機器の少なくとも一つの遅延を決定し、この逆コーディング機器の少なくとも一つの遅延と少なくとも一つの利得に基づき第一の中間信号と第二の中間信号を決定し、これらの第一の中間信号と第二の中間信号に基づき第一のチャンネルと第二のチャンネルを決定するように構成されている請求項１から１０までのいずれか一つに記載のアップミックス又はコーディング装置。
【請求項１２】
当該の逆コーディング機器が、少なくとも一つの重み係数に基づき、それぞれ第一と第二の中間信号の重みを付けた加算及び／又は重みを付けた減算によって、第一のチャンネルと第二のチャンネルを生成するように構成されている請求項１１に記載のアップミックス又はコーディング装置。
【請求項１３】
当該の逆コーディング機器が、音源とマイクロフォンの主軸の間の角度、左の開口角、右の開口角及び指向性に基づき二つの遅延を決定して、これら二つの遅延を共通の時間係数（ｓ）により補正するように構成されている請求項１１又は１２に記載のアップミックス又はコーディング装置。
【請求項１４】
音源とマイクロフォンの主軸の間の角度、左の開口角、右の開口角及び／又は指向性が一定である請求項１１から１３までのいずれか一つに記載のアップミックス又はコーディング装置。
【請求項１５】
第一の利得（５０００１，６０００１）、第二の利得（６０００２）及び線形逆コーディングのパラメータの中の一つ以上に関する好適な値を決定する最適化機器を備えている請求項１から１４までのいずれか一つに記載のアップミックス又はコーディング装置。
【請求項１６】
当該の最適化機器が、ダウンミックスから再構成された二つのチャンネル又はダウンミックスに基づく二つの信号の相関度を決定して、この相関度に応じて、第一の利得（５０００１，６０００１）、第二の利得（６０００２）及び線形逆コーディングのパラメータの中の一つ以上の値を決定するように構成されている請求項１５に記載のアップミックス又はコーディング装置。
【請求項１７】
当該の最適化機器が、目標相関度に応じて、第一の利得（５０００１，６０００１）、第二の利得（６０００２）及び線形逆コーディングのパラメータの中の一つ以上の値を決定するように構成されている請求項１６に記載のアップミックス又はコーディング装置。
【請求項１８】
当該の最適化機器が、二つのチャンネルの性質、第一のダウンミックスチャンネルの性質、第一のダウンミックスチャンネルに基づく二つの信号の性質及び第一のダウンミックスチャンネルに基づく多チャンネル信号のチャンネルの性質の中の一つ以上に応じて、当該の目標相関度を決定するように構成されている請求項１７に記載のアップミックス又はコーディング装置。
【請求項１９】
当該の目標相関度が、
声又は音声の記録に関して、０．５１以上（≧＋０．５１）、特に、０．６６以上（≧＋０．６６）であることと、
過渡振動に関して、０．２５以上（≧＋０．２５）、特に、０．４０以上（≧＋０．４０）であることと、
それ以外の信号の場合、−０．１５以上（≧−０．１５）、特に、０以上（≧０）であることと、
の中の一つ以上である請求項１８に記載のアップミックス又はコーディング装置。
【請求項２０】
当該の最適化機器が、二つのチャンネルを第一のダウンミックスチャンネルに基づく二つの信号と比較して、第一の利得（５０００１，６０００１）、第二の利得（６０００２）及び線形逆コーディングのパラメータの中の一つ以上に関する好適な値を決定する比較機器を備えている請求項１５から１９までのいずれか一つに記載のアップミックス又はコーディング装置。
【請求項２１】
ファントム音源の位置を決定する手段が使用される請求項１から２０までのいずれか一つに記載のアップミックス又はコーディング装置。
【請求項２２】
信号分析手段又は代数的不変式の決定手段が使用される請求項１から２１までのいずれか一つに記載のアップミックス又はコーディング装置。
【請求項２３】
カルーネン・レーベ変換（ＫＬＴ）又は主成分分析（ＰＣＡ）手段が使用される請求項１から２２までのいずれか一つに記載のアップミックス又はコーディング装置。
【請求項２４】
カルーネン・レーベ変換（ＫＬＴ）又は主成分分析（ＰＣＡ）に基づき代数的不変式の決定を最適化する手段が使用される請求項１から２３までのいずれか一つに記載のアップミックス又はコーディング装置。
【請求項２５】
主反射の中の一つ又は残響に基づき非線形逆コーディング又はそれに対応する線形逆コーディングの一つ又は複数のパラメータを最適化する手段が使用される請求項１から２４までのいずれか一つに記載のアップミックス又はコーディング装置。
【請求項２６】
各スピーカ位置に基づき信号のレベルと時間を補正する手段が使用される請求項１から２５までのいずれか一つに記載のアップミックス又はコーディング装置。
【請求項２７】
波面合成手段、頭部伝達関数（ＨＲＴＦ）手段又は両耳室内インパルス応答（ＢＲＩＲ）手段が使用される請求項１から２６までのいずれか一つに記載のアップミックス又はコーディング装置。
【請求項２８】
一つの多チャンネル信号をベースとする二つの信号の重みを付けた加算によって、ダウンミックスチャンネルを生成するダウンミキサーを備えた、オーディオ信号のコーディング装置において、
請求項１から２７のいずれか一つに記載のアップミックス又はコーディング装置に好適な、第一の利得（５０００１，６０００１）及び／又は第二の利得（６０００２）の値を決定する最適化機器が配備されていることを特徴とするコーディング装置。
【請求項２９】
当該の最適化機器が、当該の好適な値を決定するために、ダウンミックス信号から二つの信号を再構成する請求項１から２７のいずれか一つに記載のアップミックス又はコーディング装置を備えている請求項２８に記載のコーディング装置。
【請求項３０】
当該の最適化機器が、第一のダウンミックスチャンネル用の二つの信号の重み付けを最適化するように構成されている請求項２８又は２９に記載のコーディング装置。
【請求項３１】
一つの多チャンネル信号をベースとするダウンミックス信号を有するメモリ手段において、
請求項１から２７までのいずれか一つに記載のアップミックス又はコーディング装置のための第一の利得に関する値を有することを特徴とするメモリ手段。
【請求項３２】
多チャンネル信号のチャンネルのレベル又はダウンミックス信号のチャンネルのレベルを更に有する請求項３１に記載のメモリ手段。
【請求項３３】
一つの多チャンネル信号をベースとする二つの信号に基づき一つのダウンミックスチャンネルを生成するコーディング装置を備えたシステムにおいて、
請求項１から２７までのいずれか一つに記載のアップミックス又はコーディング装置が、第一のダウンミックスチャンネルから、これら二つの信号を再構成するように構成されていることを特徴とするシステム。
【請求項３４】
当該のコーディング装置が、請求項２８から３０までのいずれか一つに記載のコーディング装置である請求項３３に記載のシステム。
【請求項３５】
線形逆コーディングによって、一つの入力信号から第一のチャンネルと第二のチャンネルを決定する工程を有する、オーディオ信号をアップミックス又はコーディングする方法において、
第一のチャンネルに第一の利得（５０００１）を乗算する工程、又は
第一のチャンネルに第一の利得（６０００１）を乗算し、第一の利得（６０００１）と異なる第二の利得（６０００２）を第二のチャンネルに乗算する工程、
を有することを特徴とする方法。
【請求項３６】
一つの多チャンネル信号をベースとする二つの信号の重みを付けた加算によって、第一のダウンミックスチャンネルを生成する工程を有する、オーディオ信号をコーディングする方法において、
請求項２６に記載のアップミックス又はコーディングに好適な、第一の利得（５０００１，６０００１）及び／又は第二の利得（６０００２）の値を決定する工程を有することを特徴とする方法。
【請求項３７】
プロセッサ上で実行された場合に、請求項３５又は３６に記載の方法の工程を実行するように構成されたコンピュータプログラム。
【請求項３８】
ダウンミックス信号のチャンネルをベースとする少なくとも二つのチャンネルから、これら二つの信号の相関成分を抽出することによって、少なくとも一つの中間チャンネルを生成する相関比較機器と、
これらのダウンミックス信号のチャンネルと中間チャンネルに基づき多チャンネル信号を生成する出力機器と、
を備えた、第一の数のチャンネルを有するダウンミックス信号をより大きい第二の数のチャンネルを有する多チャンネル信号にアップミックスするアップミックス又はコーディング設備において、
この中間チャンネル又はこれら二つのチャンネルの中の一方に基づき、非線形逆コーディングによって、少なくとも一つの別のチャンネルを生成するために、請求項１から２７までのいずれか一つに記載のアップミックス又はコーディング装置を備えていることを特徴とするアップミックス又はコーディング設備。
【請求項３９】
当該の相関比較機器が、当該の少なくとも一つの中間信号を、受信したレベルに適合させるように構成されている請求項３８に記載のアップミックス又はコーディング設備。
【請求項４０】
当該の相関比較機器が、当該の中間チャンネルによって、ダウンミックス信号のチャンネルを補正するように構成されている請求項３８又は３９に記載のアップミックス又はコーディング設備。
【請求項４１】
当該のダウンミックス信号が、前方右、後方右、後方左及び前方左のチャンネルから成る第一の平面の四つのチャンネルを有し、当該の相関比較機器が、ダウンミックス信号のこれら四つのチャンネルから、前方中央、後方中央、左中央及び右中央のチャンネルを形成するように構成されている請求項３８から４０までのいずれか一つに記載のアップミックス又はコーディング設備。
【請求項４２】
請求項１から２０までのいずれか一つに記載のアップミックス又はコーディング装置が、前方左のチャンネルから、前方中央と前方左のチャンネルの間の一つのチャンネルを形成する構成及び／又は前方右のチャンネルから、前方中央と前方右のチャンネルの間の一つのチャンネルを形成する構成を有する請求項４１に記載のアップミックス又はコーディング設備。
【発明の詳細な説明】
【技術分野】
【０００１】
より低い次数（より少ないチャンネル数）の信号から、より高い次数（より多くの出力チャンネル数）の信号を取得することは、オーディオ技術の重要な部分である。それは、「アップミキシング」と呼ばれる。
【０００２】
同様に、当然帯域幅が広くなる多チャンネル信号の効率的なコーディングは、従来技術に属する音響心理学的コーディング方法にとって大きな挑戦課題である。特に、日本の放送局ＮＨＫが開発した三次元システムＨａｍａｓａｋｉ２２．２などの特別なフォーマットは、高い固定空間ビットレート（Ｓｐａｔｉａｌ  Ｂｉｔｒａｔｅｓ）を必要とする。
【０００３】
そのような三次元システムが既存のデータに組み込まれるか、或いは復号システムの計算能力に対する要件がオーディオデータの復号化及び再生に小さい能力しか提供しないように設定されている（Ｌｏｗ  Ｃｏｍｐｕｔａｔｉｏｎａｌ  Ｃｏｍｐｌｅｘｉｔｙ  Ｓｙｓｔｅｍ）場合、従来技術に属する音響心理学的コーディング方法は機能しない。
【０００４】
音響心理学による特別な立体的コーディング方法に関する特許出願及び公開は無数に有る。それによると、高度な表現を断念しなければならない。しかし、一つの共通の特徴は、相応の多チャンネル信号を抽出可能とするために復号器に伝送しなければならない固定空間ビットレートである。
【０００５】
本発明は、周知の音響心理学による特別な立体的コーディング方法と異なり、データストリームを持続的に付加する必要の無い、少ないパラメータだけに基づき立体的オーディオ信号を有効に定義してオーディオコーディングを拡張する手段を提供する。
【０００６】
特に、本システムは、オーディオデータの圧縮に適合したコーデック（ベースオーディオ符号器）の選択に関係無く動作する。そのようなコーデックは、例えば、ＭＰ３、ＡＡＣ、ＨＥ−ＡＡＣ又はＵＳＡＣとして周知の有効な、或いは慣用の標準を書き換えたものである。
【背景技術】
【０００７】
以下において、「逆コーディング」とは、特許文献１〜６の請求項に記載の一つ又は複数の方法、或いは一つ又は複数の装置が用いる技術的な手順であると解釈する。ここに、直前に述べた文献を参照文献して挿入する。
【０００８】
特に、「逆コーディング」により、機能的に互いに依存する利得と遅延の特定の使用によって立体的オーディオ信号を生成する技術的なプロセスが規定される。
【０００９】
特に、特許文献１〜６に記載されたシステムは、ファントム音源を有効に生成するための画一的なエネルギー密度方式に基づき構成されている。特に、特許文献１〜６では、個々のチャンネルが異なる制御形態を持たない立体的オーディオ信号を生成している。そのような画一的な制御形態は、ファントム音源の均一なマッピングを実現するのに必要である。そのことは、例えば、特許文献６の５．１サラウンド信号用の図６Ｆ、図７Ｆ及び図８Ｆが図示している通り、多チャンネル信号の逆コーディングにも言える。
【００１０】
例えば、非特許文献１により、所謂ダウンミックス方法が周知である（図２１を参照）。それは、特定のチャンネルのレベルを部分的に、例えば、（信号レベルに係数１／√２又は丸めて０．７０７１を乗算することに相当する）−３ｄＢ又は（信号レベルに係数０．５０００を乗算することに相当する）−６ｄＢ低下させて、チャンネル数を低減する追加方式である。
【００１１】
そのような追加方式は、特定のチャンネルに関して、信号分析、例えば、従来技術に属するカルーネン・レーベ変換（ＫＬＴ）又は主成分分析（ＰＣＡ）の機能に依存して、或いは特許文献１〜６による代数的不変式を用いても決定又は最適化可能であるか、さもなければ別の特定の技術手段を用いても計算可能である別のレベルを持つことができる。
【００１２】
即ち、例えば、ファラーとシルベークの両氏は、非特許文献２において、従来技術で周知の９０°フィルターの使用を提案している。
【００１３】
全体として、そのようなダウンミックス方法は、より少ない数のオーディオチャンネル（より低い次数の信号）の再生システム上で、より多くの数のオーディオチャンネルの信号（より高い次数の信号）を再生するためのベースであり、更に、例えば、ＭＰＥＧサラウンドなどの標準オーディオコーディングにより周知の通り、オーディオ信号の帯域幅を縮小するための前提条件を提供する。
【００１４】
そのようなダウンミックス方法は、特定のチャンネルのレベルを時間的な推移に関して変化させることにより適合方式（アダプティブダウンミックス）とするか、或いはその特定のチャンネルのレベルが時間的な推移に関して一定として、その結果、非適合方式（自動ダウンミックス）とすることができる。
【００１５】
特に、そのようなダウンミックス方法をダウンミックスの直接的な音響再生のために最適化するか、或いはそのようなダウンミックス方法を純粋にオーディオ信号の帯域幅を縮小するために決定することができる。
【００１６】
この文献から、スピーカが一つの平面内に有る５．１又は７．１などの市場で一般的なサラウンド配置構成と異なり、その平面外にもスピーカを配備したスピーカ配置構成が知られている。それらの一部は、例えば、日本の放送局ＮＨＫが開発した三次元システムＨａｍａｓａｋｉ２２．２などの独自の標準であり、それから、大抵の今日周知の多チャンネル方法を導き出すことができる。それは、全体として、それぞれ隣り合うスピーカの間に無数のファントム音源の形成を観察できる非常に複雑なシステムである。
【００１７】
全体として、５．１又は７．１などのサラウンド信号、或いは三次元システムの逆コーディングは、通常統一的な制御、そのため、不自然に高いエネルギー密度を有するスピーカ信号となることが避けられない。しかし、従来技術では、そのようなエネルギー密度は、相応のファントム音源を形成可能とするのに必要である。そのため、以下において、そのような措置を「線形逆コーディング」と称する。
【００１８】
特に、特許文献３は、線形逆コーディング装置又は方法内において、二つのパノラマ電位差計がＭＳマトリックスの後に接続され、各パノラマ電位差計が二つのバス信号を形成するシステムを記載している。そのような構成は、相関度の任意の上昇又は下降を可能にするとともに、二つのスピーカの間のステレオベース上でのマッピング幅を増減させる。しかしながら、第一のパノラマ電位差計が動作している場合、ＭＳマトリックスの第一の出力信号は、予め決めた比率で第一のバス信号の二つのチャンネルに供給される。同様に、第二のパノラマ電位差計が動作している場合、ＭＳマトリックスの第二の出力信号は、予め決めた比率で第二のバス信号の二つのチャンネルに供給される。
【先行技術文献】
【特許文献】
【００１９】
【特許文献１】欧州特許公開第１８５０６２９号明細書
【特許文献２】国際特許公開第２００９１３８２０５号明細書
【特許文献３】国際特許公開第２０１１００９６４９号明細書
【特許文献４】国際特許公開第２０１１００９６５０号明細書
【特許文献５】国際特許公開第２０１２０１６９９２号明細書
【特許文献６】国際特許公開第２０１２０３２１７８号明細書
【非特許文献】
【００２０】
【非特許文献１】ＩＴＵ−Ｒ  ＢＳ．７７５−１勧告
【非特許文献２】Ｆａｌｌｅｒ  ｕｎｄ  Ｓｃｈｉｌｌｅｂｅｅｃｋｘ、Ｉｍｐｒｏｖｅｄ  ＩＴＵ  ａｎｄ  Ｍａｔｒｉｘ  Ｓｕｒｒｏｕｎｄ  Ｄｏｗｎｍｉｘｉｎｇ、１３０ｔｈ  ＡＥＳ  Ｃｏｎｖｅｎｔｉｏｎ  ｉｎ  Ｌｏｎｄｏｎ、Ｐ４−５
【非特許文献３】Ｍｉｃｈａｅｌ  Ｄｉｃｋｒｅｉｔｅｒ、Ｈａｎｄｂｕｃｈ  ｄｅｒ  Ｔｏｎｓｔｕｄｉｏｔｅｃｈｎｉｋ、Ｂａｎｄ  Ｉ．-Ｓａｕｒ、Ｍｕｅｎｃｈｅｎ  １９８７
【非特許文献４】ＩＴＵ−Ｒ  ＢＳ．１７７０−３勧告、２０１２
【発明の概要】
【発明が解決しようとする課題】
【００２１】
しかし、本発明では、確かに一方では、追加のチャンネルを生成するために、そのため、基本信号又はダウンミックスに対して、より高い次数の信号を生成（「アップミキシング」又はコーディング）するために、オーディオ信号又は任意の技術手段を用いて生成されたダウンミックスから導き出された信号を線形逆コーディングのための入力信号として選定し、他方では、線形逆コーディングにより生成されたオーディオチャンネルを異なるレベルで再生することが可能であり、これらのレベルは、使用するオーディオ信号のレベル又はダウンミックスで使用するレベルから完全又は部分的に導き出させるか、或いはこれらのレベルと完全又は部分的に関係無く決定できることが予想外に従来の経験に反して確認された。それに代わって、この逆コーディングは、異なる形で制御された出力チャンネルに基づき行なうこともできる。両方の場合に、そのような技術工程が行なわれる限り、「非線形逆コーディング」と称する。
【課題を解決するための手段】
【００２２】
それによると、非線形逆コーディングは、ファントム音源の形成を僅かに変化させた場合、画一的なエネルギー密度を持たず、そのため、ファントム音源を生成するための隣り合うスピーカの間のステレオベースが出来る限り均一であるとの皮相な要件に反する。
【００２３】
しかしながら、この画一的でないエネルギー密度は、自然な聴取印象に寄与して、入力チャンネル数の増加に応じて益々透明な印象に近付ける。それによると、人の聴覚は、入力チャンネル数が増加した場合、ファントム音源の絶対位置に関してよりも、むしろ生成された音場のエネルギー密度に関して、透明な印象を判断している。
【００２４】
特に、再生チャンネル数が増加すると、スピーカの間のファントム音源の聴取と比べて、スピーカの直接的な音響心理学的定位、即ち、ほぼ点形状の音源が支配的となる。そのため、非線形逆コーディングは、そのような場合に対しても、その点形状の音源及びスピーカの間に形成されるファントム音源の正しい分布又は重み付けが行なわれるとの結果を生じさせる。
【００２５】
更に、ダウンミックス方法を使用しているにも関わらず、ファントム音源に基づく信号の場合に、基本的にスピーカ信号の音の大きさにも、感じ取られる立体感にも依存する、ファントム音源の奥行き階梯の聴取を維持することができる。この感じ取られる立体感は、例えば、人工的な残響などの追加の技術手段を必要とすること無く、逆コーディングによって直接制御することができる。
【００２６】
特に、時々立体的な感覚の著しい損失を伴う場合が有る、頭部伝達関数（ＨＲＴＦ）又は両耳室内インパルス応答（Ｂｉｎａｕｒａｌ  Ｒｏｏｍ  Ｉｍｐｕｌｓｅ  Ｒｅｓｐｏｎｓｅｓ，  ＢＲＩＲｓ）を用いたヘッドホンによる再生チャンネルの仮想化が行なわれている場合でも、非線形逆コーディングは、逆コーディングの出力信号のレベルを好適に選定することによって、感じ取られる立体感を維持することができる。
【００２７】
逆コーディングの出力信号のレベルは、例えば、適合ダウンミックス方法の場合には、時間に依存して変化させることができるか、さもなければ、例えば、非適合ダウンミックス方法の場合には、時間的な推移を一定に保つことができる。これらの例において、感じ取られる点形状の音源及びスピーカの間に形成されるファントム音源を出来る限り正しく形成可能とするためには、その逆の場合でも、即ち、適合ダウンミックス方法の場合に逆コーディングの出力信号レベルを変化させないか、或いは非適合ダウンミックス方法の場合に逆コーディングの出力信号レベルが変化させることが基本的に可能である。
【００２８】
特に、本発明の対象は、特許文献３と異なり、１と等しくない増幅率に基づきレベルを制御する場合に、必ずそれぞれ二つのバス信号を生成するシステムを規定しない。むしろ、この増幅率が、それが適用される各チャンネルにのみ作用する。そのため、この技術的な作用は、二つの等しく重み付けされたチャンネルの相関度を任意に増減させることではない。この非線形逆コーディングにおいても、特許文献３と異なり、少なくとも一つの出力信号の最終的なレベル補正の増幅率が０に向かって収斂する場合、その信号のオーディオ情報が必然的に喪失され、そのため、最早二つのスピーカの間のステレオベース上でのマッピング幅の増減が損失を伴わないものとはならず、感じ取られる点形状の音源（スピーカ）及びそれらのスピーカの間に形成されるファントム音源の重み付けが、その単純性において目的通り目標とする画一的な重み付けとなる。
【００２９】
むしろ、特許文献３において、ＭＳマトリックスの後に接続され、各パノラマ電位差計が二つのバス信号を形成する二つのパノラマ電位差計は、線形逆コーディングの一部と看做すことができ、その出力信号には、少なくとも一つの場合に、非線形逆コーディングに基づく増幅率を更に適用することができ、そのため、全体として、これら二つのパノラマ電位差計に基づくだけでは不可能である一つの形式の重み付けが実現される。
【００３０】
一つの実施例は、二つの出力信号の中の一つの後に利得が接続されるか、或いは二つの出力信号の中の一つの後にそれぞれ利得が接続されて、これらの利得が異なることを特徴とする、オーディオ信号を非線形逆コーディングする装置／方法を提示する。
【００３１】
一つの実施例は、二つの出力信号の中の一つの後に利得が接続されるか、或いは二つの出力信号の中の一つの後にそれぞれ利得が接続されて、これらの利得が異なることを特徴とする、オーディオ信号を非線形逆コーディングする装置／方法を提示する。
【００３２】
一つの実施例は、一つの利得５０００１が係数０．５又は係数１／√２を有するか、或いは二つの利得６００１，６０００２の中の少なくとも一つが係数０．５又は係数１／√２を有することを特徴とする、オーディオ信号を非線形逆コーディングする装置／方法を提示する。
【００３３】
一つの実施例は、非線形逆コーディングがダウンミックスの信号に基づき行なわれることを特徴とする、オーディオ信号を非線形逆コーディングする装置／方法を提示する。
【００３４】
一つの実施例は、ダウンミックスが係数０．５又は係数１／√２を有する一つの利得又は複数の利得に基づき形成されることを特徴とする、オーディオ信号を非線形逆コーディングする装置／方法を提示する。
【００３５】
一つの実施例は、ダウンミックスが合算信号を形成する手段以外の別の技術手段に基づき形成されることを特徴とする、オーディオ信号を非線形逆コーディングする装置／方法を提示する。
【００３６】
一つの実施例は、スピーカ上でダウンミックスを直接再生する手段が使用されることを特徴とする、オーディオ信号を非線形逆コーディングする装置／方法を提示する。
【００３７】
一つの実施例は、暫定的に存在する、或いは形成される信号から別の信号を取得する手段が使用されることを特徴とする、オーディオ信号を非線形逆コーディングする装置／方法を提示する。
【００３８】
一つの実施例は、信号を合算する手段が使用されることを特徴とする、オーディオ信号を非線形逆コーディングする装置／方法を提示する。
【００３９】
一つの実施例は、信号を減算する手段が使用されることを特徴とする、オーディオ信号を非線形逆コーディングする装置／方法を提示する。
【００４０】
一つの実施例は、信号の相関を比較する手段が使用されることを特徴とする、オーディオ信号を非線形逆コーディングする装置／方法を提示する。
【００４１】
一つの実施例は、暫定的に存在する、或いは形成される信号のレベルに基づき信号を正規化する手段が使用されることを特徴とする、オーディオ信号を非線形逆コーディングする装置／方法を提示する。
【００４２】
一つの実施例は、それぞれ隣り合わないスピーカチャンネルの信号を合算する手段が使用されることを特徴とする、オーディオ信号を非線形逆コーディングする装置／方法を提示する。
【００４３】
一つの実施例は、仮想的なスピーカを形成する手段が使用されることを特徴とする、オーディオ信号を非線形逆コーディングする装置／方法を提示する。
【００４４】
一つの実施例は、ベースオーディオ符号器を用いてダウンミックスをコーディングする手段が使用されることを特徴とする、オーディオ信号を非線形逆コーディングする装置／方法を提示する。
【００４５】
一つの実施例は、Ｈａｍａｓａｋｉ２２．２形式のスピーカ配置構成又はそのスピーカ配置構成の部分集合用の信号を形成する手段が使用されることを特徴とする、オーディオ信号を非線形逆コーディングする装置／方法を提示する。
【００４６】
一つの実施例は、ファントム音源の位置を決定する手段が使用されることを特徴とする、オーディオ信号を非線形逆コーディングする装置／方法を提示する。
【００４７】
一つの実施例は、信号を分析する手段又は代数的不変式を決定する手段が使用されることを特徴とする、オーディオ信号を非線形逆コーディングする装置／方法を提示する。
【００４８】
一つの実施例は、カルーネン・レーベ変換（ＫＬＴ）又は主成分分析（ＰＣＡ）手段が使用されることを特徴とする、オーディオ信号を非線形逆コーディングする装置／方法を提示する。
【００４９】
一つの実施例は、カルーネン・レーベ変換（ＫＬＴ）又は主成分分析（ＰＣＡ）に基づき代数的不変式の決定を最適化する手段が使用されることを特徴とする、オーディオ信号を非線形逆コーディングする装置／方法を提示する。
【００５０】
一つの実施例は、非線形逆コーディングの利得の係数が、ダウンミックス時に使用された利得の係数と同じ又はその利得の係数の複数倍であるか、或いは非線形逆コーディングの二つの利得６０００１，６０００２の中の少なくとも一つの係数が、ダウンミックス時に使用された利得の係数と同じ又はその利得の係数の複数倍であることを特徴とする、オーディオ信号を非線形逆コーディングする装置／方法を提示する。
【００５１】
一つの実施例は、非線形逆コーディングの一つ又は複数のパラメータを最適化するために、それに対応する線形逆コーディングに基づき最適化する手段が使用されることを特徴とする、オーディオ信号を非線形逆コーディングする装置／方法を提示する。
【００５２】
一つの実施例は、非線形逆コーディングの一つ又は複数のパラメータを直接最適化する手段が使用されることを特徴とする、オーディオ信号を非線形逆コーディングする装置／方法を提示する。
【００５３】
一つの実施例は、非線形逆コーディング又はそれに対応する線形逆コーディングの一つ又は複数のパラメータを相関度ｒに基づき最適化する手段が使用されることを特徴とする、オーディオ信号を非線形逆コーディングする装置／方法を提示する。
【００５４】
一つの実施例は、非線形逆コーディング又はそれに対応する線形逆コーディングの一つ又は複数のパラメータを目標相関ｋに基づき最適化する手段が使用されることを特徴とする、オーディオ信号を非線形逆コーディングする装置／方法を提示する。
【００５５】
一つの実施例は、信号の性質を決定する手段が使用されることを特徴とする、オーディオ信号を非線形逆コーディングする装置／方法を提示する。
【００５６】
一つの実施例は、声又は音声信号、或いは過渡振動を決定する手段が使用されることを特徴とする、オーディオ信号を非線形逆コーディングする装置／方法を提示する。
【００５７】
一つの実施例は、信号の性質に基づき目標相関ｋを定める手段が使用されることを特徴とする、オーディオ信号を非線形逆コーディングする装置／方法を提示する。
【００５８】
一つの実施例は、非線形逆コーディングのために、声又は音声記録の場合に、目標相関ｋ≧＋０．５１を定める手段が使用され、過渡振動の場合に、目標相関ｋ≧＋０．２５を定める手段が使用され、それら以外の信号の場合に、目標相関ｋ≧＋０．００を定める手段が使用されることを特徴とする、オーディオ信号を非線形逆コーディングする装置／方法を提示する。
【００５９】
一つの実施例は、非線形逆コーディングに対応する線形逆コーディングのために、声又は音声記録の場合に、目標相関ｋ≧＋０．６６を定める手段が使用され、過渡振動の場合に、目標相関ｋ≧＋０．４０を定める手段が使用され、それら以外の信号の場合に、目標相関ｋ≧＋０．００を定める手段が使用されることを特徴とする、オーディオ信号を非線形逆コーディングする装置／方法を提示する。
【００６０】
一つの実施例は、非線形逆コーディング又はそれに対応する線形逆コーディングのために、そのコーディングを最適化する手段が使用され、その手段自体が、４０ｍｓ以内の信号区間を使用することを特徴とする、オーディオ信号を非線形逆コーディングする装置／方法を提示する。
【００６１】
一つの実施例は、非線形逆コーディング又はそれに対応する線形逆コーディングのために、そのコーディングを最適化する手段が使用され、その手段自体が、仮想的な開口角α又はβを重み付けする手段を使用することを特徴とする、オーディオ信号を非線形逆コーディングする装置／方法を提示する。
【００６２】
一つの実施例は、非線形逆コーディング又はそれに対応する線形逆コーディングの一つ又は複数のパラメータを主反射又は残響に基づき最適化する手段が使用されることを特徴とする、オーディオ信号を非線形逆コーディングする装置／方法を提示する。
【００６３】
一つの実施例は、各スピーカ位置に基づき信号レベルを補正する手段が使用されることを特徴とする、オーディオ信号を非線形逆コーディングする装置／方法を提示する。
【００６４】
一つの実施例は、一つのパノラマ電位差計が使用されることを特徴とする、オーディオ信号を非線形逆コーディングする装置／方法を提示する。
【００６５】
一つの実施例は、係数λにより利得７１７を変更する手段が使用されることを特徴とする、オーディオ信号を非線形逆コーディングする装置／方法を提示する。
【００６６】
一つの実施例は、異なるスピーカ間隔が少なくとも一つの利得と少なくとも一つの遅延によって補正されることを特徴とする、オーディオ信号を非線形逆コーディングする装置／方法を提示する。
【００６７】
一つの実施例は、非線形逆コーディング又はそれに対応する線形逆コーディングの一つ又は複数のパラメータを保存又は伝送する手段が使用されることを特徴とする、オーディオ信号を非線形逆コーディングする装置／方法を提示する。
【００６８】
一つの実施例は、このコーディングが、多チャンネル信号と比べて、より少ない出力信号を有することを特徴とする、オーディオ信号を非線形逆コーディングする装置／方法を提示する。
【００６９】
一つの実施例は、このコーディングが、オーディオ信号と比べて、より多くの出力チャンネルを有することを特徴とする、オーディオ信号を非線形逆コーディングする装置／方法を提示する。
【００７０】
一つの実施例は、信号の再生が、各信号のフォーマットに対応するスピーカ配置構成に基づき行なわれないことを特徴とする、オーディオ信号を非線形逆コーディングする装置／方法を提示する。
【００７１】
一つの実施例は、波面合成手段が使用されるか、或いは頭部伝達関数（ＨＲＴＦ）又は両耳室内インパルス応答（ＢＲＩＲ）手段が使用されることを特徴とする、オーディオ信号を非線形逆コーディングする装置／方法を提示する。
【００７２】
以下において、本発明の様々な実施構成を図面と関連して例示して説明する。
【図面の簡単な説明】
【００７３】
【図１】日本の放送局ＮＨＫのＨａｍａｓａｋｉ２２．２フォーマットのスピーカ配置構成の図
【図２】Ｈａｍａｓａｋｉ２２．２フォーマット用ダウンミックス行列の例を示す表
【図３】Ｈａｍａｓａｋｉ２２．２用スピーカ配置構成の部分集合である、１２．１信号用スピーカ配置構成の図
【図４】又もやＨａｍａｓａｋｉ２２．２用スピーカ配置構成の部分集合である、１２．１信号用ダウンミックス行列の例を示す表
【図５】オーディオ信号の非線形逆コーディング回路の例の図
【図６】ｌ１≠ｌ２である、オーディオ信号の非線形逆コーディング回路の別の例の図
【図７】図２に図示されたダウンミックスに基づく相関比較を用いて信号を抽出する行列の表
【図８】相関比較を用いた信号抽出の（図７に続く）別の例を示す表
【図９】元の多チャンネル信号の既知のレベルに基づく信号の（図８に続く）正規化の表
【図１０】（図９に続く）事前にレベルを−３ｄｂ補正して得られた隣り合う信号の減算に基づく信号の近似的再取得の表
【図１１】（図１０に続く）二つの非線形逆コーディングの行列の表
【図１２】（図１１に続く）二つの非線形逆コーディングに基づき得られた信号の最終的な正規化の表
【図１３】多チャンネルコーディングにおいてレベル補正計算のベースとしても用いることができる、従来技術に属するパノラマ電位差計の減衰変化グラフ
【図１４】図４に図示されたダウンミックスに基づく相関比較を用いて信号を抽出する行列の第二の例を示す表
【図１５】合算信号の既知のレベルに基づき（図１４で）得られた信号の正規化を示す表
【図１６】（図１５に続く）事前にレベルを−３ｄｂ補正して近似的に得られた合算信号の減算に基づく信号の近似的な再取得を示す表
【図１７】（図１６に続く）二つの非線形逆コーディングの行列を示す表
【図１８】（図１７に続く）二つの非線形逆コーディングに基づき得られた二つの信号毎の最終的な正規化を示す表
【図１９】線形又は非線形逆コーディングの最適化回路のブロック図
【図２０】非線形逆コーディングに基づき圧縮された１２．１信号のヘッダ情報とダウンミックスの例を示す図
【図２１】非特許文献１の表２に基づく３／２素材のダウンミックスのダウンミックス行列を示す表
【発明を実施するための形態】
【００７４】
以下において、Ｈａｍａｓａｋｉ２２．２又はその配置構成の部分集合に対応する配置構成を考察する（図１を参照）。本発明の対象は、任意の位置の三つ又はそれ以上のスピーカから成る任意の如何なる多チャンネルシステムにも適用できるので、この配置構成は、一例であると解釈すべきある。
【００７５】
第一の工程において、ダウンミックス行列が定義され、その行列は、様々な技術手段（即ち、例えば、前述した通り、ファラーとシルベーク氏が記載した如何なる手段）を含むことができるとともに、（例えば、従来技術に属するカルーネン・レーベ変換（ＫＬＴ）又は主成分分析（ＰＣＡ）を用いた、或いは特許文献１〜６に基づく代数的不変式を用いた）各多チャンネル信号の信号分析機能に応じて決定又は最適化することができる（以下において、「適合ダウンミックス」と称する）か、或いは（例えば、非特許文献１の表２と同様に、図２１を参照）先験的に定められる（以下において、「自動ダウンミックス」と称する）。
【００７６】
同様に、適合ダウンミックスの構成要素も自動ダウンミックスの構成要素も含む技術的な組合せも可能である。
【００７７】
適合又は自動ダウンミックス、並びに適合ダウンミックスの構成要素と自動ダウンミックスの構成要素の技術的な組合せが無数に可能であるために（Ｈａｍａｓａｋｉ２２．２では、その数は、画一的な信号レベルを十分理論的に考察した場合、例えば、ｎ個のダウンミックスチャンネルに関して、２２！／（２２−ｎ）！ともなり、合算信号に関する異なるレベルを更に考察した場合、無限に多くの可能性も生じる）、図２により、ＦＬ’−ＦＲ’，ＢＬ’−ＢＲ’，ＴｐＦＬ’−ＴｐＦＲ’，ＴｐＢＬ’−ＴｐＢＲ’のスピーカ配置構成（図１を参照）の全体として四つのステレオ信号から構成される、Ｈａｍａｓａｋｉ２２．２用のダウンミックスの例に限定しなければならない。
【００７８】
図示された行列は、従来技術で周知の図２１の行列と同じ手法で読み取ることができるが、その逆に、行を列とし、列を行として読み取ることもできる。
【００７９】
特に、この例では、レベルを−６ｄＢ低減された（これは信号レベルに係数０．５を乗算することに相当する）ＴｐＣが、それぞれＴｐＦＬ’，ＴｐＦＲ’，ＴｐＢＬ’及びＴｐＢＲ’に混合されており、そのことは、ダウンミックスの再生時に、そのスピーカＴｐＣの定位の音響心理学的現象を引き起こす（そのため、以下において「仮想的なＴｐＣ」と称する）こととなり、部分的に別のレベル差を用いて、同じ作用方式を別のスピーカにも適用することができる（そのため、以下において「仮想的なスピーカ」と称する、以下も参照）。
【００８０】
以下においてしばしば話題にする相関比較を用いた抽出に関して、例えば、時間間隔［−Ｔ，Ｔ］及び信号ｘ（ｔ），ｙ（ｔ）に関する下記の式の短時間相互相関を考察すると、
【００８１】
【数１】
2016501456.tif 000003
【００８２】
ｒ＝＋１が成り立つｘ（ｔ）とｙ（ｔ）の相関を取った各信号成分だけが抽出される。
【００８３】
隣り合うスピーカだけがファントム音源を生成するので、相関比較を用いて、例えば、ＢｔＦＬ，ＢｔＦＣ及びＢｔＦＲも近似的にＢｔＦＬ＊，ＢｔＦＣ＊及びＢｔＦＲ＊として抽出することができる。
【００８４】
そのために、先ずはレベルを−３ｄｂ低減されたＢｔＦＣが、それぞれＢｔＦＬ’とＢｔＦＲ’に混合される。その次に、レベルを−３ｄｂ低減されたＢｔＦＬ’が、それぞれＦＬ’とＢＲ’に混合された後、レベルを−３ｄｂ低減されたＢｔＦＲ’が、それぞれＦＲ’とＢＬ’に混合される。そして、ＢｔＦＬが、近似的にＦＬ’とＢＲ’の相関成分を表し、ＢｔＦＲが、近似的にＦＲ’とＢＬ’の相関成分を表し、ＢｔＦＣが、近似的に直前に述べた両方の相関成分の相関成分を表す。
【００８５】
そのような措置では、本発明によるダウンミックスの前にＦＬ，ＢＲ及びＦＲ，ＢＬに既に含まれていた、そのため一緒に抽出されて、専らＢｔＦＬ＊，ＢｔＦＲ＊及びＢｔＦＣ＊に移転される各相関成分だけが問題となる。
【００８６】
ところで、同じことが、相関比較を用いて抽出される各信号に関しても言え、そのことは、専ら相関比較を用いて、より低い次数の信号から、より高い次数の信号を基本的に絶対的に再構成できないとの基本問題を引き起こす。ここで、非線形逆コーディングが、全く新しい展望を開くことができる。
【００８７】
例えば、暫定的に存在する、或いは段階的に得られる信号の絶対レベルが既知である場合、この問題の緩和策を実現することができ、そのため、問題の信号成分に関する相関度が如何なる場合でも＋１であるので、全ての関連するチャンネルにおける相関信号成分の各レベルを推定することができる。
【００８８】
即ち、例えば、それぞれ（絶対レベルｐ２が既知の）ＦＬ’と（絶対レベルｐ３が既知の）ＢＲ’を絶対レベルｐ１−３ｄＢで混合したＢｔＦＬの絶対レベルｐ１の相関信号成分によって、その相関比較を用いた近似的な抽出が可能となり、ここで、その結果得られる信号ＢｔＦＬ＊は絶対レベルｐ１を有し、その絶対レベルｐ２のＦＬ’からの絶対レベルｐ１−３ｄＢの減算又はその絶対レベルｐ３のＢＲ’からの絶対レベルｐ１−３ｄＢの減算は、それぞれ元の相関信号成分を（しかしながら、近似的にのみ）含むチャンネルを生じさせる。
【００８９】
同様に、例えば、それぞれ（絶対レベルｐ５が既知の）ＦＲ’と（絶対レベルｐ６が既知の）ＢＬ’を絶対レベルｐ４−３ｄＢで混合したＢｔＦＲの絶対レベルｐ４の相関信号成分によって、その相関比較を用いた近似的な抽出が可能となり、ここで、その結果得られる信号ＢｔＦＲ＊は絶対レベルｐ４を有し、その絶対レベルｐ５のＦＲ’からの絶対レベルｐ４−３ｄＢの減算又はその絶対レベルｐ６のＢＬ’からの絶対レベルｐ４−３ｄＢの減算は、それぞれ元の相関信号成分を（しかしながら、近似的にのみ）含むチャンネルを生じさせる。
【００９０】
それに続き、ＢｔＦＣ＊は、ＢｔＦＬ＊とＢｔＦＲ＊の相関比較によって抽出される。
【００９１】
特に、ダウンミックス行列は、目的とするダウンミックスがより低い次数の信号として特定のスピーカ配置構成上で直接再生することができる状況を考慮することができる。
【００９２】
例えば、Ｈａｍａｓａｋｉ２２．２用スピーカの部分集合（ＦＬ，ＦＣ，ＦＲ，ＬＦＥ２，ＳｉＬ，ＳｉＲ，ＢＬ，ＢＲ，ＴｐＦＬ，ＴｐＦＲ，ＴｐＢＬ，ＴｐＢＲ，ＴｐＣ、図３を参照）であり、そのダウンミックスを７．１サラウンド信号とする１２．１信号を考察すると、上記の例と同じ手法で、仮想的なＴｐＣを定義することができる。
【００９３】
特に、それぞれレベルを−３ｄＢ低減されたＴｐＦＬとＴｐＢＬが合算されて、その結果得られた、それぞれレベルを−３ｄＢ低減された合計が、それぞれＦＬ’とＢＬ’に混合される。同じ手法で、それぞれレベルを−３ｄＢ低減されたＴｐＦＲとＴｐＢＲが合算されて、その結果得られた、それぞれレベルを−３ｄＢ低減された合計が、それぞれＦＲ’とＢＲ’に混合される。
【００９４】
それに対応するダウンミックス行列は、図４から読み取ることができる。
【００９５】
７．１サラウンドの場合には、通常そこでのＦＬとＢＬ又はＦＲとＢＲの相関成分がＳｉＬ又はＳｉＲ上に出現する一方、そこで得られたダウンミックス行列では、トップレイヤの二つのスピーカ毎の合計が、ミドルレイヤのＦＬ’とＢＬ’又はＦＲ’とＢＲ’上に出現し、そのことは、特に、トップレイヤのスピーカが、有利には、間接的な音を再生し、そこで、その結果得られたダウンミックスが、それに有利に適したスピーカ上にそれを移転し、そのため、同じく有利には、７．１サラウンドシステムで直接再生することができるとの音響心理学的事実を考慮している。
【００９６】
他方、ＴｐＦＬ，ＴｐＢＬ及びＴｐＣの合計又はＴｐＦＲ，ＴｐＢＲ及びＴｐＣの合計は、ＦＬ’，ＢＬ’又はＦＲ’，ＢＲ’の前述した相関比較を用いて容易に近似的に抽出することができる。そのことは、これらの合計の各逆コーディング（下記を参照）にとって、そのため、ＴｐＦＬ＊とＴｐＢＬ＊又はＴｐＦＲ＊とＴｐＢＲ＊用の信号の近似的な再構成にとって決定的に重要である。
【００９７】
図示された両方のダウンミックス行列は、非特許文献１に向けた具体的な例であるが、容易に読み取れる通り、−３ｄＢ及び６ｄＢと異なるレベル補正は、容易に実現可能であり、具体的な場合に望ましい。
【００９８】
例えば、そのように変更したレベル補正は、例えば、大画面でのＦＬｃ，ＦＲｃ用の最適なステレオベースの考慮に基づくマルチメディア用途において、非対称的な角度が各スピーカ構成に対して出現した場合、或いは適合ダウンミックス（上記を参照）又は適合ダウンミックスの構成要素も自動ダウンミックスの構成要素も含む技術的な組合せが適用された場合に行なうことができる。
【００９９】
ディックライタ氏は、非特許文献３の３７５頁に従来技術に属するパノラマ電位差計の減衰変化を図示している（図１３を参照）。その減衰変化は、前記の変更したレベル補正の実現に関するベースとして用いることもできる。
【０１００】
例えば、ＦＣとＦＬｃの間の角度が３０°であり、ＦＬとＦＣの間の角度が６０°である場合に、ＦＬｃ、ＦＣ及びＦＬがそれぞれ−３ｄＢとして混合される（位置０°）一方、例えば、ＦＣとＦＬｃの間の角度が拡大された４５°であり、ＦＬとＦＣの間の角度が又もや６０°である場合、ここで、ＦＬｃとＦＣが−７ｄＢとして混合され、ＦＬは−１ｄＢとして混合される（位置１５°＝４５°−３０°）。
【０１０１】
そのため、そのようにして得られた信号ＦＣ’とＦＬ’だけを再生した場合、仮想的なＦＬｃのファントム音源が形成される。それと同時に、既知のレベル補正時に相関比較を用いた抽出によって、暫定的に存在する、或いは段階的に得られる信号ＦＬｃを又もや容易に近似的に計算して、ＦＣとＦＬをそれぞれＦＬｃの混合前に又もや近似的に作り出すことができる。この方式は、任意の数の隣り合うスピーカに一般化して拡張することができる（「仮想的なスピーカ」に関する前の説明も参照）。更に、スピーカ位置を後で変更することができる（「フレキシブルレンダリング」）。
【０１０２】
その他に、逆コーディングを用いて、同様にそのようなフレキシブルレンダリングも可能であり、その場合、例えば、図５又は６の利得７１７は、スピーカ間隔の拡大時に、それに比例して増大されるか、或いはスピーカ間隔の縮小時に、それに比例して低減される。
【０１０３】
更に、異なるスピーカ間隔は、それに対応する利得と遅延によって補正することができ、その結果、与えられた任意の次数の任意の信号から、少なくとも三つのスピーカの任意の配置構成用の信号を導き出すことができ、それは、次の方式を用いて導き出せることが容易に分かる。
（１）信号の合算、
（２）それぞれ合算した信号に対するレベル補正の適用
（３）相関比較を用いた信号の抽出
（４）暫定的に存在する、或いは段階的に得られる信号に対するレベル補正の適用
（５）暫定的に存在する、或いは段階的に得られる信号の既知のレベルに基づく、得られた信号の正規化
（６）それぞれレベル補正を行なう場合又は行なわない場合の暫定的に存在する、或いは段階的に得られる信号の各減算に基づく別の信号の取得
（７）逆コーディングに基づく信号の取得
（８）暫定的に存在する、或いは段階的に得られる信号のレベルに対する別のチャンネルのレベルの適合
（９）場合によっては、利得と遅延を用いた異なるスピーカ間隔の補正
（１０）暫定的に存在する、或いは段階的に得られる信号からの別の信号の取得
【０１０４】
１．非線形逆コーディング
非線形逆コーディングの主な特徴は、確かに一方において、任意の技術手段を用いて生成されたダウンミックスに線形逆コーディングを適用して、そのダウンミックスと比べてより高い次数の信号を生成し、他方において、線形逆コーディングにより生成されたオーディオチャンネルを異なるレベルで再生することが可能であり、これらのレベルは、自動又は適合ダウンミックスで使用したレベルから完全又は部分的に導き出すことができるか、或いはそのレベルと関係無く完全又は部分的に決定することができるとの、従来の経験に反して確認された予期しない事実に基づいている。それに代わって、任意の技術手段を用いて生成されたダウンミックスの非線形逆コーディングの最適化は、その異なる形で制御された出力チャンネルに基づき行なうこともできる。
【０１０５】
両方の場合に、自動又は適合ダウンミックス、さもなければ適合ダウンミックスの構成要素も自動ダウンミックスの構成要素も含む技術的な組合せに基づき、より高い次数の新しい信号を計算することができ、それは、一方において、（理想的には、ダウンミックスとして直接再生することができる）より低い次数の信号へのより高い次数の信号の効率的な組み込みを可能とするか、或いは復号システムの計算性能に対する要件がオーディオデータの復号及び再生のために僅かな計算能力しか提供しないように設定されている場合に、それにも関わらず、高品質な多チャンネル信号を再生することができる。
【０１０６】
そのような再生は、その結果得られた多チャンネル信号の再生フォーマットに対応するスピーカ配置構成によって、（例えば、従来技術に属する、ホイヘンスの原理に基づく波面合成を用いて）そのような再生フォーマットをシミュレーションするスピーカ配置構成によって、さもなければ、この場合、従来技術で周知の頭部伝達関数（ＨＲＴＦ）又は両耳室内インパルス応答（Ｂｉｎａｕｒａｌ  Ｒｏｏｍ  Ｉｍｐｕｌｓｅ  Ｒｅｓｐｏｎｓｅ：ＢＲＩＲ）を用いて、スピーカ位置をシミュレーションするように、ヘッドホン又はスピーカによって実現することができる。
【０１０７】
本発明による非線形逆コーディング用の基本回路の例が、左又は右の出力チャンネルの後に少なくとも一つの利得５０００１を接続することを特徴とする図５に図示されている。それに対応して、図６は、例えば、複素多チャンネル信号の非線形逆コーディングに関して、極めて有利であることが立証されている二つの異なる利得６０００１，６０００２を後に接続することを図示している。図５と図６に図示された直前に述べた利得５０００１，６０００１，６０００２を除く、両方の回路の基本的な機能形態に関しては、特許文献１〜６を参照されたい。
【０１０８】
以下において、簡略化のために、図５又は図６による非線形逆コーディングの一つの出力チャンネル毎に、符号Ｉｉ（ｌｊ）を使用し、各出力チャンネルに係数ｌｊの利得が無い場合には、Ｉｉ（１）と記載する。
【０１０９】
それと同様に、相関比較を用いた抽出が行なわれる各チャンネルには、符号「ｋ＝＋１」を付与する。その結果が、最終的に、暫定的に存在する、或いは段階的に得られる信号の既知のレベルに基づき正規化される場合、そのプロセスに符号「ａｂｓｌ」を付与する。そのように正規化された信号にチャンネルを適合して、一方において、レベル比率が維持されたままとし、他方において、Ｉｉ（ｌｊ）の利得ｌｊがそれに対応するチャンネルの実際のレベルに関して有効であるようにした場合、Ｉｉ（ｌｊ）＊と記載する。
【０１１０】
この場合、図２に図示されたダウンミックス行列に基づく、非線形逆コーディングの例は、上記の前置きにより、数が大きくなる順序で順次説明する図７〜図１２の行列である。これらの行列は、図２に図示された前に説明したダウンミックス行列と同様に、前に説明した符号Ｉｉ（ｌｊ）又はＩｉ（１）、「ｋ＝＋１」、「ａｂｓｌ」及びＩｉ（ｌｊ）＊と関連付けて読み取ることができる。
【０１１１】
図７は、ＦＬ’とＦＲ’及びそれから得られるＦＣ’、ＦＬ’とＢＬ’及びそれから得られるＳｉＬ’、ＦＲ’とＢＲ’及びそれから得られるＳｉＲ’、ＢＬ’とＢＲ’及びそれから得られるＢＣ’、ＴｐＦＬ’とＴｐＦＲ’及びそれから得られるＴｐＦＣ’、ＴｐＦＬ’とＴｐＢＬ’及びそれから得られるＴｐＳｉＬ’、ＴｐＦＲ’とＴｐＢＲ’及びそれから得られるＴｐＳｉＲ’、ＴｐＢＬ’とＴｐＢＲ’及びそれから得られるＴｐＢＣ’、ＦＬ’とＢＲ’及びそれから得られるＢｔＦＬ’、並びに最後にＦＲ’とＢＬ’及びそれから得られるＢｔＦＲ’の相関比較を用いた抽出を図解している。
【０１１２】
図８は、ＢｔＦＬ’とＢｔＦＲ’の間の相関比較及びそれから得られるＢｔＦＣ’を図解している。
【０１１３】
最後に、図９において、ＦＣ’，ＳｉＬ’，ＳｉＲ’，ＢＣ’，ＴｐＦＣ’，ＴｐＳｉＬ’，ＴｐＳｉＲ’，ＴｐＢＣ’，ＢｔＦＣ’は、同じ名称の元の信号の既知のレベルに対して正規化される。
【０１１４】
ここで、これらの正規化されたＦＣ＊，ＳｉＬ＊，ＳｉＲ＊，ＢＣ＊，ＴｐＦＣ＊，ＴｐＳｉＬ＊，ＴｐＳｉＲ＊，ＴｐＢＣ＊，ＢｔＦＣ＊は、又もやレベルを−３ｄＢ低減されて、同じレイヤのそれぞれ隣り合う信号から減算され、それにより、図１０の通り、ＦＬ’’，ＦＲ’’，ＢＬ＊，ＢＲ＊，ＴｐＦＬ＊，ＴｐＦＲ＊，ＴｐＢＬ＊，ＴｐＢＲ＊，ＴｐＦＬ＊及びＢｔＦＬ＊が得られる。
【０１１５】
ここで、図１１は、ＦＬ’’の非線形逆コーディング及びそれにより得られるＦＬ’’’とＦＬｃ’を図解している。ＦＬｃ’は、利得を用いて係数０．７０７１だけ増幅された形で得られる。同様に、ＦＲ’’の非線形逆コーディングが行なわれ、それによって、ＦＲ’’’とＦＲｃ’が得られる。ＦＲｃ’は、同じく利得を用いて係数０．７０７１だけ増幅された形で得られる。
【０１１６】
最後に、図１２では、ＦＬ’’’とＦＲ’’’が同じ名称の元の信号の既知のレベルに対して正規化され、それによって、最終的にＦＬ＊とＦＲ＊が得られる。その次に、チャンネルＦＬｃ’とＦＲｃ’は、そのように正規化された信号ＦＬ＊とＦＲ＊に適合されて、非線形逆コーディングの全てのレベル比率が維持されたままであり（そのため、それぞれ係数０．７０７１による利得は、これらのチャンネルの実際のレベルに関して有効なままであり）、ここで、最終的にＦＬｃ＊とＦＲｃ＊が得られる。
【０１１７】
これに関して、この非線形逆コーディングに対して用いられる手段又は手法は、又もや以下のものを含む。
（１）信号の合算、
（２）それぞれ合算した信号に対するレベル補正の適用
（３）相関比較を用いた信号の抽出
（４）暫定的に存在する、或いは段階的に得られる信号に対するレベル補正の適用
（５）暫定的に存在する、或いは段階的に得られる信号の既知のレベルに基づく得られた信号の正規化
（６）それぞれレベル補正を行なう場合又は行なわない場合の暫定的に存在する、或いは段階的に得られる信号の各減算に基づく別の信号の取得
（７）逆コーディングに基づく信号の取得
（８）暫定的に存在する、或いは段階的に得られる信号のレベルに対する別のチャンネルのレベルの適合
（９）場合によっては、利得と遅延を用いた異なるスピーカ間隔の補正（上記を参照）
（１０）暫定的に存在する、或いは段階的に得られる信号からの別の信号の取得
【０１１８】
更に、図５と図６から、（Ｈａｍａｓａｋｉ２２．２システムの部分集合である）三次元システム１２．１の上記の例に関して、それに対応する図４に基づくダウンミックス信号の非線形逆コーディングの例を容易に導き出すことができ、又もや上記の前置きにより、数が大きくなる順序で順次図１４〜図１８の行列を説明する。これらの行列は、図４に図示された前に説明したダウンミックス行列と同様に、又もや前に説明した符号Ｉｉ（ｌｊ）又はＩｉ（１）、「ｋ＝＋１」、「ａｂｓｌ」及びＩｉ（ｌｊ）＊と関連付けて読み取ることができる。
【０１１９】
図１４は、ＦＬ’とＢＬ’の相関比較を用いたＴｐＦＬ，ＴｐＢＬ及びＴｐＣの前述した合計ＴｐＬ’の近似的な抽出と、同じくＦＲ’とＢＲ’の相関比較を用いたＴｐＦＲ，ＴｐＢＲ及びＴｐＣの前述した合計ＴｐＲ’の近似的な抽出とを図示している。
【０１２０】
図１５では、それに続いて、ＴｐＬ’が、ＴｐＦＬ，ＴｐＢＬ及びＴｐＣの合計の元のレベルに対して正規化されて、ＴｐＬ’’が得られる。同じく、ＴｐＲ’が、同様にＴｐＦＲ，ＴｐＢＲ及びＴｐＣの合計の元のレベルに対して正規化されて、ＴｐＲ’’が得られる。
【０１２１】
図１６では、ここで、レベルを−３ｄＢ低減されたＴｐＬ’’が、それぞれＦＬ’とＢＬ’から減算され、それによって、最終的にＦＬ＊とＢＬ＊が得られる。同じく、レベルを−３ｄＢ低減されたＴｐＲ’’が、それぞれＦＲ’とＢＲ’から減算され、それによって、最終的にＦＲ＊とＢＲ＊が得られる。
【０１２２】
図１７は、ここで、ＴｐＬ’’の非線形逆コーディングを図解しており、それによって、ＴｐＦＬ’’とＴｐＢＬ’’が得られる。ＴｐＢＬ’’は、利得を用いて係数０．７０７１だけ増幅された形で得られる。同じく、ＴｐＲ’’の非線形逆コーディングが行なわれ、それによって、ＴｐＦＲ’’とＴｐＢＲ’’が得られる。同じく、ＴｐＢＲ’’は、利得を用いて係数０．７０７１だけ増幅された形で得られる。
【０１２３】
図１８では、最後に、ＴｐＦＬ’’とＴｐＦＲ’’が、同じ名称の元の信号の既知のレベルに対して正規化され、それによって、最終的に、ＴｐＦＬ＊とＴｐＦＲ＊が得られる。その次に、チャンネルＴｐＢＬ’’とＴｐＢＲ’’が、そのように正規化された信号ＴｐＦＬ＊とＴｐＦＲ＊に適合されて、非線形逆コーディングの全てのレベル比率が維持されたままであり（そのため、それぞれ係数０．７０７１による利得は、それに対応するこれらのチャンネルの実際のレベルに関して有効なままであり）、ここで、最終的にＴｐＢＬ＊とＴｐＢＲ＊が得られる。
【０１２４】
特に、又もや前述した仮想的なＴｐＣの方式が用いられる。
【０１２５】
全体として、この非線形逆コーディングに対して用いられる手段又は手法は、又もや以下のものを含む。
（１）信号の合算、
（２）それぞれ合算した信号に対するレベル補正の適用
（３）相関比較を用いた信号の抽出
（４）暫定的に存在する、或いは段階的に得られる信号に対するレベル補正の適用
（５）暫定的に存在する、或いは段階的に得られる信号の既知のレベルに基づく得られた信号の正規化
（６）それぞれレベル補正を行なう場合又は行なわない場合の暫定的に存在する、或いは段階的に得られる信号の各減算に基づく別の信号の取得
（７）逆コーディングに基づく信号の取得
（８）暫定的に存在する、或いは段階的に得られる信号のレベルに対する別のチャンネルのレベルの適合
（９）場合によっては、利得と遅延を用いた異なるスピーカ間隔の補正（上記を参照）
（１０）暫定的に存在する、或いは段階的に得られる信号からの別の信号の取得
【０１２６】
２．線形又は非線形逆コーディングを用いた既存の多チャンネル信号の近似
線形又は非線形逆コーディングを出発点とすると、元の多チャンネル信号に対する、その結果得られた信号の出来る限り精確な近似が実現されるように、そのパラメータを決定することは当然である。
【０１２７】
そのような線形逆コーディングに基づく信号の近似は、既に特許文献１〜６により詳しく検討されている。
【０１２８】
以下では、ここで述べる全ての近似又は最適化において、非線形逆コーディングに基づく近似又は最適化の場合に関して、それに対応する線形逆コーディングの周知のパラメータ以外に、図５と図６の利得５０００１，６０００１，６０００２も、その近似又は最適化に組み込めることを暗黙の前提とする。即ち、例えば、特許文献５の図１Ｂにおいて、それぞれＬとＲに、それぞれ本出願の図６による利得６０００１と６０００２を設定することができ、「新しいφ、ｆ、α又はβ」の代わりに、むしろ「新しいφ、ｆ、α、β、ｌ１又はｌ２」を設定することができる。
【０１２９】
第一の工程において、自動又は適合ダウンミックス、さもなければ適合ダウンミックスの構成要素も自動ダウンミックスの構成要素も含む技術的な組合せが定義され、そのダウンミックス又はその技術的な組合せに基づき、各非線形逆コーディングの入力信号となる各信号が形成される。
【０１３０】
第二の工程において、短時間相互相関に基づき、それぞれ全ての元の信号ペアの相関度ｒが決定され、それらの相関度は、それに続き非線形逆コーディングによって近似される。それに関しては、特許文献３の１２頁７行〜１３頁１０行と特許文献４の１７頁１６行〜１９頁８行を参照されたい。
【０１３１】
離散的な信号の場合、それらの相関度ｒは負であるか、或いは０の周辺に存在し得る。そのことは、１チャンネルの入力信号を出発点とする逆コーディングの場合には、確かに大きく無相関化された信号を生じさせるが、過渡振動、音声又は声の記録の場合には、大きなアーチファクトを同時に生じさせる。
【０１３２】
そのため、第三の工程において、目的の通り、アーチファクトが出来る限り防止されるように、特許文献４（例えば、図１）に図示された目標相関ｋを上方修正する。
【０１３３】
そのような補正は、信号の種類に依存する。基準値としては、例えば、音声又は声の演奏のアーチファクトの無い線形逆コーディングのために、ｋ≧＋０．６６が採用され、例えば、過渡振動の大きな音楽又は雑音のアーチファクトの無い線形逆コーディングのために、ｋ≧＋０．４０が採用され、例えば、過渡振動が大きくない音楽又は雑音のアーチファクトの無い線形逆コーディングのために、ｋ≧＋０．００が採用される。
【０１３４】
逆コーディングすべきオーディオ信号を如何なるカテゴリーに分類するかの技術的な決定は従来技術であり、そのため、それを詳しく取り上げない。通常、人の声と大きな過渡振動を検出して、前記の下限以内の各相関度ｒの値のために、まさにその目標相関ｋの下限を定めれば、それで十分である。
【０１３５】
即ち、線形逆コーディングでは、例えば、相関度ｒ＝＋０．４５の音声信号に関しては、前記の下限ｋ＝＋０．６６となる、それに対応する目標相関を定め、相関度ｒ＝＋０．１５を有する過渡振動の信号に関しては、前記の下限ｋ＝０．４０となる、それに対応する目標相関を定め、相関度ｒ＝−０．１５のそれ以外の信号に関しては、前記の下限ｋ＝０．００となる、それに対応する目標相関を定める。
【０１３６】
それに対して、所定の性質の信号の相関度ｒが、それに好都合な下限を上回る場合、目標相関に関して、ｋ＝ｒとする。
【０１３７】
前記の下限は、特に、線形逆コーディングに関して述べた通りに定められる。非線形逆コーディングにおいて、例えば、次数７以上の信号（ＬＥＦチャンネルを数えない場合、例えば、サラウンド７．１）の場合、前記の下限は、特定の信号形式に関して、最終的に前記のアーチファクトを生成させること無く、−０．１０〜−０．１５の間の値だけ低減することができる。
【０１３８】
それに続いて、短時間相互相関に基づき決定された相関度ｒが、設定された目標相関ｋと一致するように、線形又は非線形逆コーディングされた信号が最適化される。それに関しては、特許文献３の１２頁７行〜１３頁１０行と特許文献４の１７頁１６行〜１９頁８行を再度参照されたい。
【０１３９】
任意選択の第四の工程において、元の信号ペア又は最適化すべき線形又は非線形逆コーディングすべき信号でのファントム音源の位置が、例えば、従来技術に属するカルーネン・レーベ変換（ＫＬＴ）、主成分分析（ＰＣＡ）、さもなければ特許文献１〜６に基づくその代数的不変式を用いて決定される。直前に述べた方法の組合せも同様に可能である。
【０１４０】
即ち、例えば、元の信号ペアの、例えば、４０ｍｓの信号区間に対して、先ずはカルーネン・レーベ変換（ＫＬＴ）を実行することができ、それに基づき、目的通り、特許文献５の４頁２２行〜５頁２行に記載された少なくとも二つの信号ｓ１（ｔ），ｓ２（ｔ），．．．，ｓｍ（ｔ）の結合ｆ＾（ｔ）又は複数の結合ｆ１＾（ｔ），ｆ２＾（ｔ），．．．，ｆｐ＾（ｔ）、その伝達関数ｔ１（ｓ１（ｔ）），ｔ２（ｓ２（ｔ）），．．．，ｔｍ（ｓｍ（ｔ）、さもなければ一つの信号ｓ＃（ｔ）又は複数の信号ｓ１＃（ｔ），ｓ２＃（ｔ），．．．，ｓΩ＃（ｔ）の任意に定義可能な一つのマッピングｆ１＃（ｔ）又は任意に定義可能な複数のマッピングｆ１＃（ｔ），ｆ２＃（ｔ），．．．，ｆμ＃（ｔ）が、複素数平面上で観察されるか、複素数平面の全ての点のノルムにより定義されるリリーフ（頂点が複素数平面の原点に有り、対称軸が複素数平面に対して垂直である単位円錐）へのその射影が観察され、例えば、カルーネン・レーベ変換の主成分の中の一つが、それぞれ特許文献５の７頁１７〜２２行又は１０頁１１〜２０行に記載された平面の部分集合となるように、複数回定義された後、互いに平行に観察される。
【０１４１】
それに続いて、元の信号ペア又は最適化すべき線形又は非線形逆コーディング信号の代数的不変式が、特許文献５の１０頁２１行〜１２頁３行の通り決定されて、例えば、特許文献５の図面に基づき、１９頁１行〜７８頁１５行に詳しく記載されている通り最適化される。
【０１４２】
特許文献５（図１Ｂ、図３Ａ、図４Ａ、図５Ａ、図６Ａ、図７Ａ、図７Ｂ、図８Ａ）では、任意選択により、本出願の図５又は図６による利得が、それぞれＬ又はＲに直接挿入することができ、そのため、既に非線形逆コーディングされた信号を直接最適化することができる。
【０１４３】
それぞれ観察した元の信号ペア又は最適化すべき線形又は非線形逆コーディング信号は、任意選択の第五の工程において、主反射及び残響に関して観察又は最適化することができる。それに関しては、コーディング全体の遅延時間を相応に低く維持し、それにも関わらず全ての基本的なパラメータを検出するためには、一般的に４０ｍｓの信号区間で十分である。
【０１４４】
特許文献６の２８頁１４行〜３６頁８行には、前記の第五の工程の理想的な同等物に相当する、そのような立体的な最適化の技術変換が記載されている。
【０１４５】
図１９は、前記の最適化工程のブロック図を図示している。
【０１４６】
前記の全ての工程は、変更した順序で、或いは完全又は部分的に、それ以外の部分工程を組み合せた形で実行するか、さもなければそれらを完全又は部分的に省略することができる。
【０１４７】
前記の最適化の外に、それに追加して、或いはそれに代わって、特許文献１〜６に記載された最適化の中の一つ又は複数を適用することもできる。
【０１４８】
即ち、例えば、最初に線形逆コーディングされた信号の最適化の（その結果、短時間相互相関に基づき決定された相関度ｒが、設定された目標相関ｋと一致する）ために、有利には、特許文献６の２５頁５行〜２８行１３行に記載された事前に設定された目標相関ｋに対して仮想的な開口角αとβを得るためのアルゴリズムを第三の工程の追加の構成要素として挿入することができる。その場合、第四と第五の工程を実行する前に、僅かに好適な重みｐだけが決定される。
【０１４９】
それに代わる簡略化された技術的な解決策では、それと同じアルゴリズムが、同時に第四及び第五の工程と完全に置き換えられる。実際には、最終的な非線形逆コーディングにおいて、そのようにして線形逆コーディングのパラメータを維持しつつ、そのような構成によって、漸く卓越した結果を実現することができる。
【０１５０】
興味深いことには、それによると、それに続く非線形逆コーディングにおいて、図５による利得５０００１の付加により、或いは図６による利得６０００１，６０００２の付加により、線形逆コーディングのパラメータが維持される場合、線形逆コーディングに基づく最適化は全く最上級の結果を提供する。そのことは、チャンネル数が増えると、人の聴覚がファントム音源の絶対位置に関してよりも、むしろ音場のエネルギー密度に関してより重きを置いて透明性を判断しており、特に、再生チャンネル数が増加すると、スピーカの直接的な音響心理学的定位、即ち、ほぼ点形状の音源がスピーカ間のファントム音源の聴取と比べて、優勢になって、むしろ二つのスピーカの間のステレオベースにファントム音源の絶対位置を定義する逆コーディングのパラメータの変更された選択自体に対して、もはや大きな影響を与えなくなるとの事実に起因する。
【０１５１】
この事態は、システム全体の明らかな簡略化であり、何故なら、非線形逆コーディングと比べて、線形逆コーディングが、特に、相関度、ファントム音源の位置、主反射及び残響に関して、最適化を著しく容易にするステレオベースが均一であるとの利点を特に有するからである。
【０１５２】
３．ベースオーディオ符号器を用いた場合又は用いない場合の多チャンネル信号の非線形逆コーディングのパラメータ
自動又は適合ダウンミックス、さもなければ適合ダウンミックスの構成要素も自動ダウンミックスの構成要素も含む技術的な組合せから、並びに前に説明した線形又は非線形逆コーディングを用いた既存の多チャンネル信号の近似から、元の多チャンネル信号の帯域幅に関して、まさにその多チャンネル信号用の大幅に低減されたデータフォーマットを導き出すことができ、このデータフォーマットは、場合によっては、ベースオーディオ符号器を用いて圧縮されたダウンミックスの外に、下記の情報を個別に含むことができる。
（１）ダウンミックスの構造（例えば、図４）
（２）（例えば、図２０において、ｐ１，ｐ２，．．．，ｐｎで表示された）元の信号及び段階的にダウンミックスで生成される信号の絶対レベル
（３）それぞれ使用されている逆コーディングの形式及びパラメータ（例えば、逆コーディングＪ１，Ｊ２毎に変更可能な、図５の全ての利得と遅延）
（４）復号器の構造と復号化の形式（例えば、図１４、図１５、図１６、図１７、図１８）
（５）場合によっては、使用しているベースオーディオ符号器の種類（例えば、図２０のＨＥ−ＡＡＣとＨＥ−ＡＡＣ  ｖ２）、符号化の形式及びそれぞれ対応するビットレート
【０１５３】
最適化された表現において極めて低いビットレートを有する、これらのデータが、従来技術で周知の固定空間ビットレート以外に、専らヘッダ情報として、さもなければ（信頼性向上のための）データパルスとして保存又は伝送できることを容易に理解できる。非線形逆コーディング用の増幅率、レベル及び／又はそれ以外のパラメータは、信号区間毎に（例えば、毎秒）１回伝送することができる（特に、例えば、適合ダウンミックスの使用により、逆コーディングの出力チャンネルのレベルを時間的な推移に関して変化させる場合、例えば、一つのサンプル、一つのフレーム又はその一部に関する持続的な伝送は、実用的ではないが、当然同様に可能である）。
【０１５４】
図２０は、そのような可能なデータフォーマットの具体的な例を図示している。
【０１５５】
４．ベースオーディオ符号器とダイナミックレンジコントロール（ＤＲＣ）を用いた場合又は用いない場合の非線形逆コーディングに基づき得られた多チャンネル信号のラウドネス補正
非線形逆コーディングに基づき得られた多チャンネル信号の出力チャンネルのレベルを画一的な値だけ上昇又は下降させて、非線形逆コーディング前の元の多チャンネル信号と同じ主観的な音の大きさの印象を生じさせることが実際に望ましい。そのような全体的なレベルの上昇又は下降は、例えば、元の信号又は段階的にダウンミックスで生成される信号の絶対レベルに基づき、或いは主観的に感じられる音の大きさ（ラウドネス）の測定又は計算に基づき、例えば、非特許文献４に記載されている通りの手法に基づき行なうことができる。そのような上昇又は下降は、時間的に一定な形で行なうか、或いは時間的な推移が変化しない形又は変化する形で適合させることができる。
【０１５６】
この全体的なレベルの上昇又は下降は、特に、多チャンネル信号の主観的な音の大きさの印象に大きな影響を与えることが可能なベースオーディオ符号器の特性を考慮することができる。
【０１５７】
同様に、多チャンネル信号の制御形態に対する無数の観点において、聴取者が最適な結果を感じられるように影響を与える所謂ダイナミックレンジコントロール（ＤＲＣ）の手法を多チャンネル信号に適用することができる。
【０１５８】
５．多チャンネル信号からのより高い次数又はより低い次数の任意の信号の導出
前記の実施形態により、存在しないチャンネルは、例えば、線形又は非線形逆コーディングを用いて、既存の、或いは生成されたスピーカ信号に基づき導き出すことができるので、任意の多チャンネル信号から、任意のスピーカ配置構成でのより高い次数の信号を導き出せることが容易に理解できる。
【０１５９】
同様に、存在するチャンネルは、自動又は適合ダウンミックス、或いは適合ダウンミックスの構成要素も自動ダウンミックスの構成要素も含む技術的な組合せを用いて削減することができ、暫定的に存在する、或いは段階的に得られる信号の各信号レベルを決定するために、従来技術に属するパノラマ電位差計の減衰変化を使用することができるので、任意の多チャンネル信号から、任意のスピーカ配置構成でのより低い次数の信号を取得できることが容易に理解できる。この場合、それぞれ導き出されたファントム音源と音場のエネルギー密度を最適化するために線形又は非線形逆コーディングを使用することも同様に考えられる。
【０１６０】
要約すると、以下のことを確認することができる。「逆コーディング」、特に、「線形逆コーディング」においては、機能的に互いに依存する利得及び遅延の特定の使用によって、立体的オーディオ信号を生成する技術的なプロセスが規定される。特に、そのような「逆コーディング」又は「線形逆コーディング」は、合算素子と、ＭＳマトリックスと、その合算素子の後に接続された利得又はＭＳマトリックスの後に接続された二つのパノラマ電位差計とを備えることができる。
【０１６１】
「非線形逆コーディング」は、簡単には目的を予想できない形で「逆コーディング」又は「線形逆コーディング」用の構成の左又は右の出力チャンネルの後に少なくとも一つの利得５０００１を更に接続することを特徴とする。
【０１６２】
本発明は、前述した実施例に限定されず、本発明の権利範囲内に有る全ての実施例は、本発明の一部である。
【０１６３】
請求項３１において、アップミックス装置の非線形逆コーディングの代わりに、それに代わって、線形逆コーディング又はそれ以外の疑似ステレオ音響化方法も使用することができる。
【０１６４】
本請求項の意味での増幅とは、１より大きい増幅率も１より小さい増幅率も意味する、即ち、本発明の意味での増幅は、減衰を意味する場合も有る。
【０１６５】
一つの多チャンネル信号をベースとする二つの信号が、直接その多チャンネル信号の二つのチャンネルとなるか、或いはそれら二つの信号の中の一方（又は両方の各々）が、その多チャンネル信号の二つのチャンネルの組合せをベースとすることができる。同じことが、一つのダウンミックス信号をベースとする信号にも言える。
【０１６６】
コーディングとの用語は、符号化と復号化の両方の概念を含む。
【０１６７】
アップミックスとの用語は、より少ない数のチャンネルから、より多くの数のチャンネルを形成することを意味する。
【０１６８】
ダウンミックスとの用語は、より多くの数のチャンネルから、より少ない数のチャンネルを形成することを意味する。
【図１】
2016501456.tif 000004
【図２】
2016501456.tif 000005
【図３】
2016501456.tif 000006
【図４】
2016501456.tif 000007
【図５】
2016501456.tif 000008
【図６】
2016501456.tif 000009
【図７】
2016501456.tif 000010
【図８】
2016501456.tif 000011
【図９】
2016501456.tif 000012
【図１０】
2016501456.tif 000013
【図１１】
2016501456.tif 000014
【図１２】
2016501456.tif 000015
【図１３】
2016501456.tif 000016
【図１４】
2016501456.tif 000017
【図１５】
2016501456.tif 000018
【図１６】
2016501456.tif 000019
【図１７】
2016501456.tif 000020
【図１８】
2016501456.tif 000021
【図１９】
2016501456.tif 000022
【図２０】
2016501456.tif 000023
【図２１】
2016501456.tif 000024
【国際調査報告】
2016501456.tif 000025
2016501456.tif 000026
2016501456.tif 000027
2016501456.tif 000028
2016501456.tif 000029
2016501456.tif 000030